(57)【要約】【課題】画びょうに手を触れずに、画びょうの打ち込み、取り込み、保管ができるようにする【解決手段】取った画びょうを取り込み磁石で保持すると同時に取り込み時に打ち込み磁石を経由して本体内に画びょうを自動的に送り込み、また、打ち込み時は手を持ち替えなくても、そのままの位置で送りボタンを押して画びょうを打ち込み部に送り込み、打ち込みボタンを押すだけで画びょうを打つことができ、本体内のベルトによりスム−ズニ画びょうを移動させ、さらに、補給、取り出し口からマガジンを利用して画びょうの取り出し、補給ができるので、画びょうに手を触れずに済む【選択図】図２
2008307874.tif 000002
【特許請求の範囲】
【請求項１】
壁に打ち込んである画びょうを本体の歯で浮きあがらせて取り込み用磁石に吸着保持する装置
【請求項２】
画びょう取り込み磁石と、打ち込み用磁石、本体収納口を一直線上に並べて画びょう送りプレ−トと画びょう引っかけ部により順次取り込んだ画びょうを本体内におくること、及び、画びょう送りプレ−トを手動により順次取り込んだ画びょうを本体内におくる装置
【請求項３】
本体内部の画びょうを、ベルト、ガイド、ベルトロ−ラ−で移動させる装置
【請求項４】
取り込み用磁石の吸引力とベルトロ−ラ−の関係で傾いた吸着面を軸を中心にして回転して打ち込み面と並行になるようにした装置
【請求項５】
本体への画びょうの補給及び、取り出しのためのマガジンに板磁石を使用した装置
【請求項６】
本体下部の画びょう取り歯及び、打ち込み部穴の構成
【請求項７】
取り込み部、打ち込み部、誘導部、補給、取り出し部から成る全体のデザイン
【請求項８】
取り込み部、及び打ち込み部の磁石の極を吸着する画びょうに対してＮ極、Ｓ極同時に接触する様にして画びょうが安定して保持されるようにしたこと
【発明の詳細な説明】
【技術分野】
【０００１】本発明は画びょうを扱う際に誤って手にささって傷つかない様に画びょうにてをふれなくてもポスタ−等を貼ることができる様に画びょう取り、保管、画びょう打ちを一体化した物
【背景技術】
【０００２】従来は、画びょうを取って保管することは出来るが、打ち込みは素手でおこなっていた
【発明が解決しようとする課題】
【０００３】この場合、打ち込みするときには素手で画びょうを持つときに誤って手にささり、痛い思いを何回も経験した、また、画びょう取り器から１つづつ画びょうを取って打ち込んでいくので能率が上がらない、打ち込みも素手で触らない様にして手を傷つけず能率も上げる事を目的とした
【課題を解決する手段】
【０００４】上記目的を解決するため、本発明においては、取り込みした画びょうを磁石で保持し、打ち込み部の磁石を隣に接して本体入口まで一直線に並べて画びょう送りプレ−トにより順次本体に画びょうを収納出来るようにした
【０００５】画びょう送りプレ−トは、壁から画びょうを取る際に画びょうが壁に食い込んでいることを利用して本体を画びょうに沿って壁に滑らせその画びょうにつめを引っかけながそのつめに連動して画びょう送りプレ−トが本体いりぐち方向に動き、画びょうを送る
【０００６】本体入口からベルトと画びょうガイドにより、本体内を画びょうが移動してなるべく多く画びょうが収納出来る様に、ベルトが折りかえした本体下部で画びょうの出し入れが出来る様にした
【０００７】本体への画びょうの出し入れを容易にするために、マガジンに板磁石を利用した
【０００８】画びょう打ち込み時に、ベルトロ−ラ−の直径の関係で斜めになった打ち込み面を回転軸により、壁に平行になるようにして打ち込みボタンを押し込んで画びょうを打つようにした
【０００９】その際、画びょうを打つ前に、画びょう送りボタンを押して画びょうを１個打ち込み磁石に送り出す
【００１０】以上のようにして、画びょうの取り込み、打ち込み、保管を１つの器具で実現した
【発明を実施するための最良の形態】
【００１１】発明の実施の形態を実施例に基づき図面を参照して説明する
図４に於いて画びょうを取り込む際、壁に打ちこんである画びょうを画びょう取り歯１を画びょうと壁の間に割り込ませ画びょう針溝２に沿って本体を移動させると、壁に打ちこんである画びょうが送りづめ３０に引っかかる【００１２】その後さらに、本体を移動させると送りづめ３０の跳ね上がり部が送りづめ戻しピン３１に引っかかり送りづめ３０のつめの部分が画びょうからはずれて、画びょう送り戻しバネにより画びょう送りプレ−トと、送りづめを元の位置に戻す【００１３】さらに本体を画びょう針溝に沿って移動させると、溝の終端で画びょうの針が引っかかって止まるのでその後、本体をてこの要領で持ち上げると画びょうが壁から離れてそのすぐ上にある取り込み用磁石３２に吸着保持される【００１４】後は（００１１）から（００１３）の動作をくり返して次々に画びょうを収容していく【００１５】図５は、画びょう引っかけ機構を使用しないで、手動で画びょうを送る場合で、手動引き４５で手前に引いて画びょうを順次収容していく、この場合は画びょう引っかけ機構を省略できるのでその分、部品数を抑えられる【００１６】図６に於いて、画びょうを打ち込む動きを（ａ）から（ｂ）であらわし、画びょう送りボタン９を押しつつ前方に送ると画びょうガイド４３の先端にある画びょうが押し出されベルトから離れて（ｂ）のように打ち込み磁石に吸着する【００１７】打ち込み用磁石に画びょうが吸着したら打ち込みボタン５を手前に引きつつ下に押し込む（ｃ）と保持具回転軸を中心にして回転し打ち込み面が壁と平行になって打ち込みボタン５が下方にスライドし、打ち込み穴を通して壁に画びょうを打ち込む（ｄ）【００１８】この動作をくり返すことにより次々に画びょうを打ち込める【００１９】図７は本体の、画びょう補給取り出し部で、画びょうを取り出すときを表わし、画びょうが満タンになったときに、取り出し口を上にしながらマガジンをセットし、押し棒動幹２６を外側に引くとマガジンがせりあがるのでマガジンつまみをもってマガジンを上に引き抜くとマガジンの、保管磁石４７に画びょうが吸着されて収容される【００２０】図８（ａ）（ｂ）（ｃ）は、本体に画びょうを補給する行程を表わし、マガジン４６を補給口のガイドに沿って押し込むとマガジンの画びょうがベルトに差し込まれ、その後ベルト送り車を押さえてベルトが回転しないようにしながらマガジンを図（ｃ）の矢印方向にスライドさせるとセットが完了する【００２１】本体にさらに画びょうを補給するときは補給した画びょうの最後の画びょうの中心をライン４８に合わせるようにベルト送り車で送り、その後同じ要領で画びょうを補給し、さらにその後、ベルト送り車を止まるまで回し、止まったら開閉カバ−を閉めた後、画びょう送りボタンを押して打ち込みができる
尚、自分の製作した器具は全長３４ｃｍ程で本体内の画びょう収容数は、画びょう４０個で、マガジン収容数は１２個なので、本体が空のときには、マガジン３個分補充する【００２２】図９はマガジンを表わし、４７の部分は保管磁石である【００２３】図１０は画びょう取り針溝、打ち込み穴からなる画びょう取り歯である【００２４】図３はベルト送り車カバ−、ベルト送り車開閉カバ−、及び送りすぎ防止帯を表わし、本体に画びょうを補給する際に画びょう送りボタンだと画びょう１個づつしかベルトを送れないのでそれをカバ−するため、フリ−にベルトを送ることができるようにした車で、その際まちがって画びょう打ち込み部に何個も画びょうが送り込まれるのを防止するためにベルト送り車開閉カバ−を開けることによってそれに付随した送りすぎ防止送りピンに送りすぎ防止帯がひっかかって回転し、送りすぎ防止帯に付属するつめ４２で画びょうがでるのを防止する、尚、そのピンが戻らないように開閉カバ−止めづめでうごかないようになっている、また、ベルト送り車と先端ロ−ラ−は軸でつながっていて連動する【００２５】図１２は、画びょうを移動させるための、ベルト２４である、尚、ベルトは網目で出来ており、図で書くのは大変なので（ａ）のように全体が網目になっている
【図面の簡単な説明】
【図１】画びょう取りマシ−ンの側面、下面図である
【図２】画びょう取りマシ−ンの内部構造を表す側面図、下面図であるが、図がわかりにくくなるので側面図にはベルト送り車カバ−、開閉カバ−は省略してある
【図３】ベルト送り車カバ−、ベルト送り車開閉カバ−及び、送りすぎ防止帯
【図４】画びょうを壁から取り込む際の各部の動きを表わす図
【図５】画びょうを壁から取り込む際に手動で収容する場合の各部の構成と動きを表わす図
【図６】画びょうを打ち込む際の各部の動きを表わす図
【図７】画びょうを本体からマガジンに移すさいの各部の動きを表わす図
【図８】マガジンから本体に画びょうを補給する行程
【図９】マガジンの形状の正面、側面図
【図１０】画びょう取り歯の各部を表わす図
【図１１】画びょう取り部、打ち込み部の磁石の極配置を表わす図
【図１２】ベルト２４を表した図
【図１３】補給口カバ−を表し、突起（ａ）で本体に固定される
【符号の説明】
１    画びょう取り歯
２    画びょう針溝
３    打ち込み穴
４    画びょう送り戻しバネ
５    打ち込みボタン
６    打ち込みボタン戻しバネ
７    取り込み打ち込み保持具
８    画びょう送りづめ
９    画びょう送りボタン
１０  送りボタン戻しバネ
１１  ベルトロ−ラ−
１２  押さえロ−ラ−
１３  ベルト送り車
１４  画びょう送りスライド穴
１５  ベルト送り車カバ−
１６  ベルト送り車開閉カバ−
１７  先端ロ−ラ−
１８  後端ロ−ラ−
１９  保持具回転軸
２０  保持具戻しバネ
２１  押し棒戻しバネ
２２  押し棒戻しバネ
２３  押し棒ガイド
２４  ベルト
２５  押し棒
２６  押し棒作動幹
２７  ベルト押さえガイド
２８  開閉カバ−止めづめ
２９  送りづめ保持具
３０  送りづめ
３１  送りづめ戻しピン
３２  取り込み磁石
３３  打ち込み磁石
３４  送りすぎ防止帯
３５  ころ軸受け
３６  連結棒
３７  画びょう送りプレ−ト
３８  防止帯戻しピン
３９  固定バネ
４０  バネ
４１  磁石表面滑り板
４２  防止帯つめ部
４３  画びょうガイド
４４  開閉カバ−つまみ
４５  手動引き棒
４６  マガジン
４７  保管磁石
４８  合わせライン
４９  補給口ガイド
５０  蓋固定溝
５１  保持具固定板
５２  保持具押さえ
５３  送りすぎ防止送りピン
【図１】
2008307874.tif 000003
【図２】
2008307874.tif 000004
【図３】
2008307874.tif 000005
【図４】
2008307874.tif 000006
【図５】
2008307874.tif 000007
【図６】
2008307874.tif 000008
【図７】
2008307874.tif 000009
【図８】
2008307874.tif 000010
【図９】
2008307874.tif 000011
【図１０】
2008307874.tif 000012
【図１１】
2008307874.tif 000013
【図１２】
2008307874.tif 000014
【図１３】
2008307874.tif 000015